(57)【特許請求の範囲】
【請求項１】
関連上位層セルのカバレッジ内部の孤立セル・クラスタの構成情報を取得し格納するステップであって、前記孤立セル・クラスタの構成情報は孤立セルの表示および／または関連上位層セル・リストを含み、前記孤立セル・クラスタが局所的な連続カバレッジを提供する１つまたは複数のセルを含むステップと、
前記孤立セルの表示に従ってセルが孤立セルであると判定するステップ、
および／または
前記関連上位層セル・リストに従ってセルに直接隣接する関連上位層セルを決定するステップと、
前記孤立セル・クラスタの中の前記孤立セルから、変更する必要があるアップリンク／ダウンリンク構成を受信するステップと、
前記孤立セルによって現在使用されているアップリンク／ダウンリンク構成と変更する必要があるアップリンク／ダウンリンク構成とに従って、前記孤立セルが使用できるアップリンク／ダウンリンク構成を決定し、前記孤立セルに直接隣接する関連上位層セルの構成、種類、リソースのうち少なくとも１つに基づいて前記孤立セルに対して干渉制御を実施するステップと、
前記孤立セルが利用できるアップリンク／ダウンリンク構成を前記孤立セルに返すステップと、
を含む、無線ネットワークを構成するための方法。
【請求項２】
前記孤立セル・クラスタの前記構成情報はさらに前記孤立セル・クラスタ内で構成された孤立セル・リストを含み、
前記孤立セル・クラスタの孤立セルごとに干渉検出を開始するステップと、
或る孤立セルの干渉検出結果が設定された閾値より低い場合には、前記孤立セル・クラスタに対応する前記孤立セル・リストから前記孤立セルを削除し、或る孤立セルの干渉検出結果が設定された閾値よりも高い場合には、前記孤立セルを前記孤立セル・クラスタに対応する前記孤立セル・リストに格納するステップと、
をさらに含む、請求項１に記載の方法。
【請求項３】
前記孤立セル・クラスタの構成更新情報を前記孤立セルに通知するステップ、
および／または
前記孤立セル・クラスタの前記構成更新情報をネットワーク側管理ノードに送信するステップ、
をさらに含む、請求項２に記載の方法。
【請求項４】
前記孤立セルにより現在使用されているアップリンク／ダウンリンク構成と変更する必要があるアップリンク／ダウンリンク構成とに従って、前記孤立セルが使用できるアップリンク／ダウンリンク構成を決定し、前記孤立セルに対して干渉制御を実施するステップは、
前記孤立セルにより現在使用されている前記アップリンク／ダウンリンク構成に従って、変更する必要があるアップリンク／ダウンリンク構成、関連上位層セルのリソース、および前記孤立セルが利用できる前記アップリンク／ダウンリンク構成を決定し、前記孤立セルにより現在使用されている前記アップリンク／ダウンリンク構成と前記孤立セルが利用できる前記アップリンク／ダウンリンク構成とに従って干渉回避を実施するステップ、
または、
前記孤立セルが利用できる前記アップリンク／ダウンリンク構成として変更すべきアップリンク／ダウンリンク制御チャネルを決定し、前記孤立セルにより変更する必要がある前記アップリンク／ダウンリンク制御チャネルの構成情報を取得し、前記孤立セルにより現在使用されている前記アップリンク／ダウンリンク構成、変更する必要があるアップリンク／ダウンリンク構成、および変更する必要がある前記アップリンク／ダウンリンク制御チャネルの前記構成情報に従って干渉排除を実施するステップと、
を含む、請求項１乃至３の何れか１項に記載の方法。
【請求項５】
前記孤立セルが使用できるアップリンク／ダウンリンク構成を決定するステップは、
関連上位層セルのリソースが、変更する必要があるアップリンク／ダウンリンク構成を完全にサポートする場合には、前記孤立セルにより使用される前記アップリンク／ダウンリンク構成を、変更する必要があるアップリンク／ダウンリンク構成に変更できるようにするステップ、
または、
前記関連上位層セルのリソースが、変更する必要があるアップリンク／ダウンリンク構成を部分的にサポートする場合には、変更する必要があるアップリンク／ダウンリンク構成と前記関連上位層セルのリソースとに従って、前記孤立セルが利用できる前記アップリンク／ダウンリンク構成を選択するステップ、
または、
前記関連上位層セルのリソースが、変更する必要があるアップリンク／ダウンリンク構成をサポートしない場合には、前記孤立セルが使用する前記アップリンク／ダウンリンク構成を、前記孤立セルが現在使用しているアップリンク／ダウンリンク構成として維持できるようにするステップと、
を含む、請求項１乃至３の何れか１項に記載の方法。
【請求項６】
前記孤立セルにより現在使用されている前記アップリンク／ダウンリンク構成と前記孤立セルが利用できる前記アップリンク／ダウンリンク構成とに従って干渉回避を実施するステップは、
前記関連上位層セルが時分割複信セルである場合には、前記孤立セルが利用できる前記アップリンク／ダウンリンク構成における非互換サブフレームの位置を前記孤立セルが現在使用しているアップリンク／ダウンリンク構成における非互換サブフレームの位置と比較し、前記非互換サブフレームを空にするステップ、
または、
前記関連上位層セルが周波数分割複信セルである場合には、前記孤立セルが利用できる前記アップリンク／ダウンリンク構成と前記孤立セルが現在使用しているアップリンク／ダウンリンク構成を比較し、前記孤立セルが利用できる前記アップリンク／ダウンリンク構成におけるダウンリンク・サブフレームの数が増加した場合には、前記関連上位層セルによりアップリンク・トラフィックに従って、空にすることができ時分割複信セルのダウンリンク・サブフレームとして使用できるアイドル状態のアップリンク・サブフレームが存在するかどうかを判定し、存在する場合には、アイドル状態のアップリンク・サブフレームの数に従って、追加できるダウンリンク・サブフレームの数を決定し、前記孤立セルが利用できる前記アップリンク／ダウンリンク構成におけるアップリンク・サブフレームの数が増加した場合には、前記孤立セルが前記アップリンク／ダウンリンク構成を変更できるようにするステップと、
を含む、請求項４に記載の方法。
【請求項７】
孤立セルにより変更する必要がある前記アップリンク／ダウンリンク制御チャネルの構成情報を取得し、前記孤立セルにより現在使用されている前記アップリンク／ダウンリンク構成、変更する必要があるアップリンク／ダウンリンク構成、および変更する必要がある前記アップリンク／ダウンリンク制御チャネルの前記構成情報に従って干渉排除を実施するステップは、
前記関連上位層セルが時分割複信セルである場合には、前記関連上位層セルの受信器により、前記孤立セル内のユーザ機器ＵＥのアップリンク制御チャネルの信号を特定し、受信した結果信号から前記孤立セル内の前記ＵＥの前記アップリンク制御チャネルの前記信号を差し引いて、前記関連上位層セル内のＵＥから所望の信号を取得するステップであって、前記アップリンク制御チャネルの前記信号は前記アップリンク／ダウンリンク構成における非互換サブフレームの位置から生じるステップ、
または、
前記関連上位層セル内のＵＥの受信器により、前記孤立セルのダウンリンク制御チャネルの信号を特定し、受信した結果信号から前記孤立セルの前記ダウンリンク制御チャネルの前記信号を差し引いて前記関連上位層セルから所望の信号を取得するステップであって、前記ダウンリンク制御チャネルの前記信号は前記アップリンク／ダウンリンク構成における非互換サブフレームの位置から生ずるステップ、
または、
前記関連上位層セルが周波数分割複信セルである場合には、前記関連上位層セルの受信器により、前記孤立セルのアップリンク・サブフレーム位置において、前記孤立セル内のＵＥのアップリンク制御チャネルの信号を特定し、受信した結果信号から前記孤立セル内の前記ＵＥの前記アップリンク制御チャネルの前記信号を差し引いて、前記関連上位層セル内のＵＥから所望の信号を取得するステップであって、前記アップリンク制御チャネルの信号は前記アップリンク／ダウンリンク構成における非互換サブフレームの位置から生じるステップ、
または、
前記関連上位層セル内のＵＥの受信器により、前記孤立セル内のダウンリンク・サブフレーム位置において、前記孤立セルのダウンリンク制御チャネルの信号を特定し、受信した結果信号から前記孤立セルの前記ダウンリンク制御チャネルの前記信号を差し引いて、前記関連上位層セルから所望の信号を取得するステップであって、前記ダウンリンク制御チャネルの信号は、前記アップリンク／ダウンリンク構成における非互換サブフレームの位置から生ずるステップ、
を含み、
前記アップリンク／ダウンリンク構成における前記非互換サブフレームの位置が、前記孤立セルが現在使用しているアップリンク／ダウンリンク構成と変更する必要があるアップリンク／ダウンリンク構成とにより決定される、
請求項４に記載の方法。
【請求項８】
前記アップリンク／ダウンリンク構成における前記非互換サブフレームの位置は特に、  前記関連上位層セルが時分割複信セルである場合には、変更する必要があるアップリンク／ダウンリンク構成と現在使用されているアップリンク／ダウンリンク構成における様々なアップリンク／ダウンリンク構成を有するサブフレーム位置である、構成された非互換サブフレームの位置であり、
前記関連上位層セルが周波数分割複信セルである場合には、変更する必要があるアップリンク／ダウンリンク構成および前記周波数分割複信セルにより現在使用されている構成における様々なアップリンク／ダウンリンク構成を有するサブフレーム位置である、構成された非互換サブフレームの位置である、
請求項７に記載の方法。
【請求項９】
孤立セルが属する孤立セル・クラスタの関連上位層セルの構成情報を取得し格納するステップであって、前記孤立セル・クラスタの前記構成情報は孤立セルの表示および／または関連上位層セル・リストを含み、前記孤立セル・クラスタが局所的な連続カバレッジを提供する１つまたは複数のセルを含むステップと、
現在のアップリンク／ダウンリンクのサービス要件に従って、変更する必要があるアップリンク／ダウンリンク構成を決定し、前記孤立セルが属する前記孤立セル・クラスタの前記関連上位層セルに、前記孤立セルにより変更する必要があるアップリンク／ダウンリンク構成を送信するステップであって、前記孤立セル・クラスタが局所的な連続カバレッジを提供する１つまたは複数のセルを含むステップと、
前記関連上位層セルの干渉検出結果に基づいて前記アップリンク／ダウンリンク構成を修正するステップと、
前記関連上位層セルにより返され前記孤立セルが使用できるアップリンク／ダウンリンク構成に従って、前記孤立セルのアップリンク／ダウンリンクサービス構成を実施するステップと、
を含む、無線ネットワークを構成するための方法。
【請求項１０】
前記孤立セルのアップリンク／ダウンリンクサービス構成を実施した後、前記方法は、  前記孤立セルが現在使用しているアップリンク／ダウンリンク構成を前記孤立セルがサービスするユーザ機器ＵＥと隣接セルとに送信するステップであって、前記隣接セルは、前記孤立セル・クラスタの前記関連上位層セルと、前記孤立セルが属する前記孤立セル・クラスタにおいて要求を開始した孤立セルとは異なる孤立セルとを含むステップを含む、
請求項９に記載の方法。
【請求項１１】
前記関連上位層セルの前記構成情報は、構成された関連上位層セル・リストを含み、
前記孤立セルが属する前記孤立セル・クラスタの関連上位層セルごとに干渉検出を開始するステップと、
或る関連上位層セルの干渉検出結果が設定された閾値より高い場合には、前記関連上位層セルを初期の関連上位層セルのリストに格納するステップと、
或る関連上位層セルの干渉検出結果が設定された閾値より低い場合には、前記関連上位層セルを前記初期の関連上位層セルのリストから削除するステップと、
をさらに含む、請求項９または１０に記載の方法。
【請求項１２】
前記関連上位層セルの前記構成情報が構成された孤立セル・リストをさらに含む場合には、前記孤立セルの干渉検出結果に従って、前記関連上位層セルにより格納された孤立セル・リストを更新するように前記関連上位層セルに指示するステップ、
および／または
前記関連上位層セルの更新が検出された場合には、前記関連上位層セルの構成更新情報をネットワーク側管理ノードに送信するステップ、
をさらに含む、請求項１０に記載の方法。
【請求項１３】
関連上位層セルのカバレッジ内部の孤立セル・クラスタの構成情報を取得し格納するように構成された構成取得モジュールであって、前記孤立セル・クラスタの構成情報は孤立セルの表示および／または前記孤立セル・クラスタ内の孤立セル・リストを含み、前記孤立セル・クラスタが局所的な連続カバレッジを提供する１つまたは複数のセルを含む構成取得モジュールと、
前記孤立セルの表示に従ってセルが孤立セルであると判定し、かつ／または、前記関連上位層セル・リストに従ってセルに直接隣接する関連上位層セルを決定するように構成されたユニットと、
前記孤立セル・クラスタの中の前記孤立セルから、変更する必要があるアップリンク／ダウンリンク構成を受信するように構成された要求受信モジュールと、
前記孤立セルが現在使用しているアップリンク／ダウンリンク構成と変更する必要があり前記要求受信モジュールにより受信される前記アップリンク／ダウンリンク構成とに従って、前記孤立セルが使用できるアップリンク／ダウンリンク構成を決定し、前記孤立セルに直接隣接する関連上位層セルの構成、種類、リソースのうち少なくとも１つに基づいて前記孤立セルに対して干渉制御を実施するように構成された干渉制御モジュールと、
前記孤立セルが使用でき前記干渉制御モジュールにより決定される前記アップリンク／ダウンリンク構成を前記孤立セルに返却するように構成された構成返却モジュールと、
を備える、無線ネットワークを構成するための装置。
【請求項１４】
前記孤立セル・クラスタの前記構成情報がさらに前記孤立セル・クラスタ内の初期孤立セル・リストを含むとき、前記構成取得モジュールに接続され、前記孤立セル・クラスタの孤立セルごとに干渉検出を開始するように構成された干渉検出モジュールと、
前記干渉検出モジュールに接続され、或る孤立セルの干渉検出結果が設定された閾値より低い場合には前記孤立セル・クラスタに対応する前記孤立セル・リストから前記孤立セルを削除し、或る孤立セルの干渉検出結果が設定された閾値よりも高い場合には前記孤立セルを前記孤立セル・クラスタに対応する前記孤立セル・リストに格納するように構成された孤立セル・リスト更新モジュールと、
をさらに備える、請求項１３に記載の無線ネットワークを構成するための装置。
【請求項１５】
前記孤立セル・リスト更新モジュールに接続され、前記孤立セル・クラスタの構成更新情報を前記孤立セルに通知し、かつ／または、前記孤立セル・クラスタの前記構成更新情報をネットワーク側管理ノードに送信するように構成された更新通知モジュール、
をさらに備える、請求項１３に記載の無線ネットワークを構成するための装置。
【請求項１６】
前記干渉制御モジュールは、
前記孤立セルにより現在使用されている前記アップリンク／ダウンリンク構成に従って、変更する必要があるアップリンク／ダウンリンク構成、関連上位層セルのリソース、および前記孤立セルが利用できる前記アップリンク／ダウンリンク構成を決定し、前記孤立セルにより現在使用されている前記アップリンク／ダウンリンク構成と前記孤立セルが利用できる前記アップリンク／ダウンリンク構成とに従って干渉回避を実施するように構成された干渉回避ユニットと、
前記孤立セルが利用できる前記アップリンク／ダウンリンク構成として変更すべきアップリンク／ダウンリンク制御チャネルを決定し、前記孤立セルにより変更する必要があるアップリンク／ダウンリンク制御チャネルの構成情報を取得し、前記孤立セルにより現在使用されているアップリンク／ダウンリンク構成、変更する必要があるアップリンク／ダウンリンク構成、および変更する必要がある前記アップリンク／ダウンリンク制御チャネルの前記構成情報に従って干渉排除を実施するように構成された干渉排除ユニットと、
を備える、請求項１３に記載の無線ネットワークを構成するための装置。
【請求項１７】
前記干渉回避ユニットは特に、前記関連上位層セルが時分割複信セルである場合には、
前記孤立セルが利用できる前記アップリンク／ダウンリンク構成における非互換サブフレームの位置を前記孤立セルが現在使用しているアップリンク／ダウンリンク構成における非互換サブフレームの位置と比較し、前記非互換サブフレームを空にし、または、前記関連上位層セルが周波数分割複信セルである場合には、前記孤立セルが利用できる前記アップリンク／ダウンリンク構成と前記孤立セルが現在使用しているアップリンク／ダウンリンク構成を比較し、前記孤立セルが利用できる前記アップリンク／ダウンリンク構成におけるダウンリンク・サブフレームの数が増加した場合には、前記関連上位層セルによりアップリンク・トラフィックに従って、空にすることができ時分割複信セルのダウンリンク・サブフレームとして使用できるアイドル状態のアップリンク・サブフレームが存在するかどうかを判定し、存在する場合には、アイドル状態のアップリンク・サブフレームの数に従って、追加できるダウンリンク・サブフレームの数を決定し、前記孤立セルが利用できる前記アップリンク／ダウンリンク構成におけるアップリンク・サブフレームの数が増加した場合には、前記孤立セルが前記アップリンク／ダウンリンク構成を変更できるようにするように構成され、
干渉キャンセル・ユニットは特に、前記関連上位層セルが時分割複信セルである場合には、前記関連上位層セルの受信器により、前記アップリンク／ダウンリンク構成における非互換サブフレームの位置から生ずる前記孤立セル内のユーザ機器ＵＥのアップリンク制御チャネルの信号を特定し、受信した結果信号から前記孤立セル内の前記ＵＥの前記アップリンク制御チャネルの前記信号を差し引いて前記関連上位層セル内のＵＥから所望の信号を取得するか、または、前記関連上位層セル内のＵＥの受信器により、前記アップリンク／ダウンリンク構成における非互換サブフレームの位置から生ずる前記孤立セルのダウンリンク制御チャネルの信号を特定し、受信した結果信号から前記孤立セルの前記ダウンリンク制御チャネルの前記信号を差し引いて前記関連上位層セルから所望の信号を取得するか、または、前記関連上位層セルが周波数分割複信セルである場合には、前記関連上位層セルの受信器により、前記孤立セルのアップリンク・サブフレーム位置において、前記アップリンク／ダウンリンク構成における非互換サブフレームの位置から生ずる前記孤立セル内のユーザ機器ＵＥのアップリンク制御チャネルの信号を特定し、受信した結果信号から前記孤立セル内の前記ＵＥの前記アップリンク制御チャネルの前記信号を差し引いて前記関連上位層セル内のＵＥから所望の信号を取得するか、または、前記関連上位層セル内のＵＥの受信器により、前記孤立セル内のダウンリンク・サブフレーム位置において、
前記アップリンク／ダウンリンク構成における非互換サブフレームの位置から生ずる前記孤立セルのダウンリンク制御チャネルの信号を特定し、受信した結果信号から前記孤立セルの前記ダウンリンク制御チャネルの前記信号を差し引いて前記関連上位層セルから所望の信号を取得するように構成され、
前記アップリンク／ダウンリンク構成における前記非互換サブフレームの位置は、前記孤立セルが現在使用しているアップリンク／ダウンリンク構成と変更する必要があるアップリンク／ダウンリンク構成とにより決定される、
請求項１６に記載の無線ネットワークを構成するための装置。
【請求項１８】
関連上位層セルの構成情報を取得し格納するように構成された構成取得モジュールであって、前記関連上位層セルの構成情報は孤立セルの表示および／または前記関連上位層セル・リストを含み、前記孤立セル・クラスタが局所的な連続カバレッジを提供する１つまたは複数のセルを含む構成取得モジュールと、
現在のアップリンク／ダウンリンクのサービス要件に従って、変更する必要があるアップリンク／ダウンリンク構成を決定し、孤立セルが属する孤立セル・クラスタの関連上位層セルに、前記孤立セルにより変更する必要があるアップリンク／ダウンリンク構成を送信するように構成された送信モジュールであって、前記孤立セル・クラスタが局所的な連続カバレッジを提供する１つまたは複数のセルを含む送信モジュールと、
干渉検出モジュールに接続され、前記関連上位層セルの干渉検出結果に基づいて前記アップリンク／ダウンリンク構成を修正するように構成された、関連上位層セル・リスト更新モジュールと、
前記送信モジュールに接続され、前記関連上位層セルにより返され前記孤立セルが使用できるアップリンク／ダウンリンク構成に従って前記孤立セルのアップリンク／ダウンリンクサービス構成を実施するように構成された構成モジュールと、
を備える、無線ネットワークを構成するための装置。
【請求項１９】
前記送信モジュールはさらに、前記孤立セルが現在使用しているアップリンク／ダウンリンク構成を、前記孤立セルがサービスするユーザ機器ＵＥと隣接セルとに送信するように構成され、前記隣接セルは、前記孤立セル・クラスタの前記関連上位層セルと、前記孤立セルが属する前記孤立セル・クラスタにおいて要求を開始した孤立セルとは異なる孤立セルとを含む、請求項１８に記載の無線ネットワークを構成するための装置。
【請求項２０】
構成情報を取得し格納した前記構成取得モジュールはさらに初期関連上位層セル・リストを含み、
前記構成取得モジュールに接続され、前記孤立セルが属する前記孤立セル・クラスタの関連上位層セルごとに干渉検出を開始するように構成された干渉検出モジュールをさらに備え、
前記関連上位層セル・リスト更新モジュールはさらに、或る関連上位層セルの干渉検出結果が設定された閾値より高い場合には、前記関連上位層セルを前記初期の関連上位層セルのリストに格納し、或る関連上位層セルの干渉検出結果が設定された閾値より低い場合には、前記関連上位層セルを初期の関連上位層セルのリストから削除するように構成された、
請求項１８または１９に記載の無線ネットワークを構成するための装置。
【請求項２１】
干渉検出モジュールに接続され、前記関連上位層セルの構成情報が初期の孤立セル・リストをさらに含む場合には、前記孤立セルの干渉検出結果に従って、前記関連上位層セルにより格納された孤立セル・リストを更新するように前記関連上位層セルに指示するように構成された孤立セル・リスト更新モジュール、
および／または
前記関連上位層セル・リスト更新モジュールに接続され、前記関連上位層セルの更新が検出された場合には、前記関連上位層セルの構成更新情報をネットワーク側管理ノードに送信するように構成された更新通知モジュールと、
をさらに備える、請求項１８に記載の無線ネットワークを構成するための装置。
【請求項２２】
コンピュータ・ユニットにより実行されたとき、前記コンピュータ・ユニットに請求項１乃至８の何れか１項に記載のユーザ機器のステップを実施させる、コンピュータ・プログラム。
【発明の詳細な説明】
【技術分野】
【０００１】
関連出願の記載
本出願は、発明の名称を「無線ネットワークを構成するための方法、装置、およびシステム」とした、２０１１年５月１２日に中国国家知識産権局に出願した中国特許出願第２０１１１０１２２６３２．１号の優先権を主張し、その全体を引用により本明細書に組み込む。
【０００２】
本発明の諸実施形態は通信技術の分野に関し、特に、無線ネットワークを構成するための方法、装置、およびシステムに関する。
【背景技術】
【０００３】
時分割（Ｔｉｍｅ  Ｄｉｖｉｓｉｏｎ、ＴＤ）システムでは、様々なアップリンク／ダウンリンク・タイムスロット構成を利用して、様々なアップリンク／ダウンリンクのトラフィック要件をサポートすることができる。ＴＤロング・ターム・エボリューション（ＴＤ  Ｌｏｎｇ  Ｔｅｒｍ  Ｅｖｏｌｕｔｉｏｎ、ＴＤ−ＬＴＥ）は、モバイル高速ブロードバンドに適用される無線通信標準である。ＴＤ−ＬＴＥシステムにおける時分割複信（Ｔｉｍｅ  Ｄｉｖｉｓｉｏｎ  Ｄｕｐｌｅｘ、ＴＤＤ）アップリンク／ダウンリンク構成は、複数の異なるアップリンク／ダウンリンク構成を含み、複数の異なるアップリンク／ダウンリンク比率のサービス要件を満たすことができる。これは、周波数分割複信（Ｆｒｅｑｕｅｎｃｙ  Ｄｉｖｉｓｉｏｎ  Ｄｕｐｌｅｘ、ＦＤＤ）と比較してＴＤＤの重要な利点である。
【発明の概要】
【発明が解決しようとする課題】
【０００４】
しかし、インター周波数（ｉｎｔｅｒ−ｆｒｅｑｕｅｎｃｙ）またはイントラ周波数（ｉｎｔｒａ−ｆｒｅｑｕｅｎｃｙ）ＴＤＤシステムでは、隣接セルが様々なアップリンク／ダウンリンク構成を使用する場合、様々なアップリンク／ダウンリンク構成のタイムスロット（即ち、非互換のタイムスロット）で深刻なアップリンク／ダウンリンク干渉が生ずる。
【課題を解決するための手段】
【０００５】
本発明は、先行技術における様々なアップリンク／ダウンリンク構成の間の深刻な干渉の欠点を克服し、様々なアップリンク／ダウンリンク構成の間の干渉を減らすための、無線ネットワークを構成するための方法、装置、およびシステムを提供する。
【０００６】
本発明の１実施形態では、無線ネットワークを構成するための方法を提供する。当該方法は、孤立セル・クラスタの中の孤立セルから、変更する必要があるアップリンク／ダウンリンク構成を受信するステップであって、当該孤立セル・クラスタは局所的な連続カバレッジを提供する１つまたは複数のセルを含むステップと、当該孤立セルにより現在使用されているアップリンク／ダウンリンク構成と変更する必要があるアップリンク／ダウンリンク構成とに従って、孤立セルが使用できるアップリンク／ダウンリンク構成を決定し、当該孤立セルに対して干渉制御を実施するステップと、孤立セルが利用できるアップリンク／ダウンリンク構成を孤立セルに返すステップと、を含む。
【０００７】
本発明の１実施形態ではまた、無線ネットワークを構成するための方法を提供する。当該方法は、現在のアップリンク／ダウンリンクのサービス要件に従って、変更する必要があるアップリンク／ダウンリンク構成を決定し、孤立セルが属する孤立セル・クラスタの関連上位層セルに、孤立セルにより変更する必要があるアップリンク／ダウンリンク構成を送信するステップであって、孤立セル・クラスタは局所的な連続カバレッジを提供する１つまたは複数のセルを含むステップと、関連上位層セルにより返され孤立セルが使用できるアップリンク／ダウンリンク構成に従って、孤立セルのアップリンク／ダウンリンクサービス構成を実施するステップと、を含む。
【０００８】
本発明の１実施形態ではまた、無線ネットワークを構成するための装置を提供する。当該装置は、孤立セル・クラスタの中の孤立セルから、変更する必要があるアップリンク／ダウンリンク構成を受信するように構成された要求受信モジュールであって、孤立セル・クラスタは局所的な連続カバレッジを提供する１つまたは複数のセルを含む要求受信モジュールと、孤立セルが現在使用しているアップリンク／ダウンリンク構成と変更する必要があり当該受信モジュールにより受信されるアップリンク／ダウンリンク構成とに従って、孤立セルが使用できるアップリンク／ダウンリンク構成を決定し、孤立セルに対して干渉制御を実施するように構成された干渉制御モジュールと、孤立セルが使用でき当該干渉制御モジュールにより決定されるアップリンク／ダウンリンク構成を返すように構成された構成返却モジュールと、を備える。
【０００９】
本発明の１実施形態はまた、無線ネットワークを構成するための装置を提供する。当該装置は、現在のアップリンク／ダウンリンクのサービス要件に従って、変更する必要があるアップリンク／ダウンリンク構成を決定し、孤立セルが属する孤立セル・クラスタの関連上位層セルに、孤立セルにより変更する必要があるアップリンク／ダウンリンク構成を送信するように構成された送信モジュールであって、当該孤立セル・クラスタは局所的な連続カバレッジを提供する１つまたは複数のセルを含む送信モジュールと、当該送信モジュールに接続され、関連上位層セルにより返され孤立セルが使用できるアップリンク／ダウンリンク構成に従って孤立セルのアップリンク／ダウンリンクサービス構成を実施するように構成された構成モジュールと、を備える。
【００１０】
本発明の１実施形態はまた、無線ネットワークを構成するためのシステムを提供する。当該システムは、関連上位層セルと孤立セル・クラスタを備え、当該孤立セル・クラスタは局所的な連続カバレッジを提供する１つまたは複数のセルを含み、当該孤立セル・クラスタに直接隣接する関連上位層セルの数は設定された閾値より小さく、関連上位層セルは、本発明の諸実施形態に従って無線ネットワークを構成するための任意の装置を利用し、孤立セル・クラスタ内の各孤立セルは、本発明の諸実施形態に従う無線ネットワークを構成するための任意の装置を利用する。
【００１１】
本発明の無線ネットワークを構成するための方法、装置、およびシステムを利用することにより、時分割多重構成変更要求を受信した後、関連上位層セルは、孤立セルが現在使用しているアップリンク／ダウンリンク構成と変更する必要があるアップリンク／ダウンリンク構成とに従って、どのように孤立セルのアップリンク／ダウンリンク構成を変更するかを決定し、孤立セルに対して干渉制御を実施することができ、これにより様々なアップリンク／ダウンリンク構成の間の干渉を減らし、異なる構成のセルの間の干渉共存を実現することができ、その結果、孤立セルのアップリンク／ダウンリンク構成はより合理的となり、様々なアップリンク／ダウンリンクのトラフィック要件を満たす。
【００１２】
本発明の諸実施形態または先行技術における技術的解決策をより明確に説明するために、以下では、当該諸実施形態または先行技術を説明するために必要な添付図面を簡単に説明する。明らかに、以下の説明における添付図面は、本発明の幾つかの実施形態を示すにすぎず、当業者は創造的な作業なしにこれらの添付図面から他の図面を導出することができる。
【図面の簡単な説明】
【００１３】
【図１Ａ】本発明の１実施形態に従う、ＴＤＤモードまたはＦＤＤ＋ＴＤＤモードでのヘテロジニアス・ネットワーク・アーキテクチャにおける孤立セル・クラスタの概略図である。
【図１Ｂ】本発明の１実施形態に従う、ＴＤＤモードまたはＦＤＤ＋ＴＤＤモードでのヘテロジニアス・ネットワーク・アーキテクチャにおける非孤立セル・クラスタの概略図である。
【図１Ｃ】本発明の１実施形態に従う、無線ネットワークを構成するための方法の流れ図である。
【図２】本発明の別の実施形態に従う、無線ネットワークを構成するための方法の流れ図である。
【図３】本発明の別の実施形態に従う、無線ネットワークを構成するための方法の流れ図である。
【図４Ａ】本発明の別の実施形態に従う、無線ネットワークを構成するための方法における構成管理のシグナリング・フローチャートである。
【図４Ｂ】本発明の別の実施形態に従う、無線ネットワークを構成するための方法におけるアップリンク／ダウンリンク構成の更新のシグナリング・フローチャートである。
【図４Ｃ】本発明の別の実施形態に従う、無線ネットワークを構成するための方法における関連マクロ・セルおよび孤立セルのアップリンク／ダウンリンク構成の概略図である。
【図４Ｄ】本発明の別の実施形態に従う無線ネットワークを構成するための方法において、関連マクロ・セルがＦＤＤセルであり、対応する孤立セルがＦＤＤのＵＬ帯域でＴＤＤ互換構成を満足する概略図である。
【図４Ｅ】本発明の別の実施形態に従う無線ネットワークを構成するための方法において、関連マクロ・セルがＦＤＤセルであり、対応する孤立セルがＦＤＤのＵＬ帯域でＴＤＤ互換構成を満足しない概略図である。
【図５】本発明の１実施形態に従う、無線ネットワークを構成するための装置の概略図である。
【図６】本発明の別の実施形態に従う無線ネットワークを構成するための装置の概略図である。
【図７】本発明の別の実施形態に従う無線ネットワークを構成するための装置の概略図である。
【図８】本発明の別の実施形態に従う無線ネットワークを構成するための装置の概略図である。
【図９】本発明の別の実施形態に従う無線ネットワークを構成するための装置の概略図である。
【図１０】本発明の別の実施形態に従う、無線ネットワークを構成するためのシステムの概略図である。
【発明を実施するための形態】
【００１４】
本発明の諸実施形態の目的、技術的解決策、および利点をより分かりやすくするために、本発明の諸実施形態における技術的解決策を本発明の諸実施形態における添付図面を参照してより明確かつ十分に説明する。明らかに、説明した諸実施形態は本発明の諸実施形態の全部ではなく一部にすぎない。当業者が創造的な作業なしに本発明の諸実施形態に基づいて取得する他の全ての実施形態は本発明の保護範囲に入るものとする。
【００１５】
表１は、ＴＤロング・ターム・エボリューション（ＴＤ  Ｌｏｎｇ  Ｔｅｒｍ  Ｅｖｏｌｕｔｉｏｎ、ＴＤ−ＬＴＥ）システムにおける時分割複信（Ｔｉｍｅ  Ｄｉｖｉｓｉｏｎ  Ｄｕｐｌｅｘｉｎｇ、ＴＤＤ）アップリンク／ダウンリンク構成を示す。
【００１６】
表１：ＴＤ−ＬＴＥシステムにおけるＴＤＤアップリンク／ダウンリンク構成
【表１】
0005810432.tif 000002
【００１７】
表１は、７つの様々なアップリンク／ダウンリンク構成を含む。これらは７つの異なるアップリンク／ダウンリンク比率のサービス要件を満たすことができる。例えば、帯域ＡのＴＤＤアップリンク／ダウンリンク構成はＤＬ：ＵＬ＝２：３（構成０）であり、帯域ＢのＴＤＤアップリンク／ダウンリンク構成はＤＬ：ＵＬ＝３：２（構成１）であり、帯域ＣのＴＤＤアップリンク／ダウンリンク構成はＤＬ：ＵＬ＝４：１（構成２）であることが仮定されている。大量のアップリンク・サービス・リソースが必要である領域では、帯域Ａをデプロイメントに使用してもよく、大量のダウンリンク・サービス・リソースが必要である領域では、帯域Ｃをデプロイメントに使用してもよく、アップリンクとダウンリンクが基本的にバランスされ大量のダウンリンク・サービス・リソースが必要である領域では、帯域Ｂをデプロイメントに使用してもよい。
【００１８】
インター周波数またはイントラ周波数ＴＤＤシステムでは、隣接セルが様々なアップリンク／ダウンリンク構成を使用する場合には、深刻なアップリンク／ダウンリンク干渉が様々なアップリンク／ダウンリンク構成のタイムスロット（即ち、非互換のタイムスロット）で生ずる。例えば、インター周波数またはイントラ周波数の隣接セル１およびセル２に対して、セル１は表１において構成「０」を使用し、セル２は表１において構成「２」を使用する。表１に示すように、一貫しないアップリンク／ダウンリンク構成のサブフレーム（タイムスロット）「３、４、８、および９」において、深刻なアップリンク／ダウンリンク干渉がセル１とセル２の間に存在する。ネットワーク同期全体がＴＤＤシステムのデプロイメントで使用され、ネットワーク構成全体の一貫性が保証され、これによりＴＤＤシステムのアップリンク／ダウンリンク干渉の問題を単純かつ効果的に解決することができるが、ＴＤＤシステムからは、様々なアップリンク／ダウンリンクのトラフィック要件を満たすようにアップリンク／ダウンリンクリソースが柔軟に構成されるという利点が失われる。
【００１９】
本発明の諸実施形態の主な考え方は、孤立セル・クラスタ内の孤立セルが現在使用しているアップリンク／ダウンリンク構成と変更する必要があるアップリンク／ダウンリンク構成とに従って、どのように孤立セルのアップリンク／ダウンリンク構成を変更するかを決定し、孤立セルに対して干渉制御を実施し、様々なアップリンク／ダウンリンク構成のセルの干渉共存を実現することである。その結果、孤立セルのアップリンク／ダウンリンク構成がより合理的になり様々なアップリンク／ダウンリンクのトラフィック要件が満たされる。
【００２０】
図１Ａは、本発明の１実施形態に従う、ＴＤＤモードまたはＦＤＤ＋ＴＤＤモードでのヘテロジニアス・ネットワーク・アーキテクチャにおける孤立セル・クラスタ（Ｉｓｏｌａｔｅｄ  Ｃｅｌｌ）の概略図である。図１Ｂは、本発明の１実施形態に従う、ＴＤＤモードまたはＦＤＤ＋ＴＤＤモードでのヘテロジニアス・ネットワーク・アーキテクチャにおける非孤立セル・クラスタの概略図である。ＴＤＤモードでのイントラ周波数のヘテロジニアス・ネットワークでは、レイヤ１およびレイヤ２のセルは同一の周波数のＴＤＤセルである。ＦＤＤ＋ＴＤＤヘテロジニアス・ネットワークでは、ＦＤＤダウンリンク（ＤＬ）およびＦＤＤアップリンク（ＵＬ）がレイヤ１のカバレッジを形成する。ＦＤＤアップリンク（ＵＬ）は、ＴＤＤモードのレイヤ２のカバレッジ、例えば、低電力ノード（ｌｏｗ  ｐｏｗｅｒ  Ｎｏｄｅ、ＬＰＮ）のカバレッジを提供する。レイヤ１はネットワークの広いカバレッジを提供するために使用される。レイヤ１が、ＴＤＤセルがデプロイされるカバレッジのレイヤである場合には、ＴＤＤセルのアップリンク／ダウンリンク構成を、カバレッジ領域内のサービスのアップリンク／ダウンリンクのトラフィックに従ってカバレッジのレイヤに対して実施する必要がある。レイヤ２は、主に、追加のネットワーク容量を提供して特定の領域の容量要件を満たすために使用される。レイヤ２のカバレッジ領域は異なるので、異なる領域のアップリンク／ダウンリンクのトラフィック要件が異なってもよく、異なるアップリンク／ダウンリンクの構成要件が生じてもよい。さらに、レイヤ２のセルは主に容量を改善するために使用されるので、セルの主な形態はＬＰＮである。レイヤ２のカバレッジ・モードには２つの種類がある。図１Ａは不連続カバレッジ・モードを示し、図１Ｂは連続カバレッジ・モードを示す。実際のネットワーク配置では、大抵のヘテロジニアス・ネットワークでは図１Ａに示す不連続カバレッジ・モードが使用される。不連続カバレッジのケースでは、連続カバレッジをレイヤ２で提供する１つまたは複数のＬＰＮのカバレッジに従って、本発明の実施形態におけるマクロ・セルを説明のための例として用いて、例えば、直接隣接する上位層セルの数、即ち、関連上位層セルの数に従って、局所的な連続カバレッジを提供する１つまたは複数のセルを、孤立セル・クラスタまたは非孤立セル・クラスタとして決定してもよい。ここで、マイクロ・セルの上位層セルはマクロ・セルであり、ピコ・セルの上位層セルはマイクロ・セルまたはマクロ・セルである。局所的な連続カバレッジを提供する１つまたは複数のセルに直接隣接するマクロ・セルの数が設定された数Ｎよりも小さい場合には（通常は、干渉制御が実施されるように、Ｎの値は２〜３、または他の値であってもよく、大きな値は選択されない）、局所的な連続カバレッジを提供する１つまたは複数のセルが孤立セル・クラスタであると考えられる。そうでなく、局所的な連続カバレッジを提供する１つまたは複数のセルに直接隣接するマクロ・セルの数がＮ（例えば、３０）よりも大きい場合には、１つまたは複数のセルは非孤立セル・クラスタであり、孤立セル・クラスタに直接隣接する上位層セルは孤立セルの関連上位層セルである。
【００２１】
本発明の実施形態におけるネットワーク側管理ノード、例えば、ＯＡＭ、無線リソース管理（Ｒａｄｉｏ  Ｒｅｓｏｕｒｃｅ  Ｍａｎａｇｅｍｅｎｔ、ＲＲＭ）、無線環境マップ（Ｒａｄｉｏ  ｅｎｖｉｒｏｎｍｅｎｔ  Ｍａｐ、ＲＥＭ）、コア・ネットワーク（Ｃｏｒｅ  Ｎｅｔｗｏｒｋ、ＣＮ）、または無線アクセス・ノード（Ｒａｄｉｏ  ａｃｃｅｓｓ  Ｎｏｄｅ、ＲＡＮ）が、様々なアップリンク／ダウンリンク構成を要求するセルのネットワーク展開範囲、即ち、１つまたは複数のセルが孤立セル・クラスタであるかどうかを判定してもよい。当該展開範囲は、様々なアップリンク／ダウンリンク構成に起因する干渉を生じさせる領域であってもよい。局所カバレッジを提供するセルを、運用管理保守装置（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）のようなネットワーク側管理ノードの構成を通じて特定してもよい。例えば、ＯＡＭが運用者のネットワーク展開を反映してもよい。様々なセル・ネットワークのカバレッジの展開範囲の関係に従って、セルが孤立セル・クラスタに属するか非孤立セル・クラスタに属するかを判定してもよい。セルが孤立セル・クラスタに属する場合には、様々なアップリンク／ダウンリンク構成を実施してもよく、セルは、当該セルが影響を及ぼす領域内のセルでリソース調整管理を実施し、干渉回避または干渉排除を実施する必要がある。セルが非孤立セル・クラスタに属する場合には、ネットワーク側のサービス要件比率に従ってネットワーク全体のアップリンク／ダウンリンク構成を修正するかどうか、および、どのようにアップリンク／ダウンリンク構成を修正して干渉を回避するかを、ネットワーク側で考慮してもよい。
【００２２】
図１Ｃは、本発明の１実施形態に従う無線ネットワークを構成するための方法の流れ図である。図１Ｃに示すように、無線ネットワークを構成するための方法は以下を含んでもよい。
【００２３】
１０１で、孤立セル・クラスタの中の孤立セルから、変更する必要があるアップリンク／ダウンリンク構成を受信する。当該孤立セル・クラスタは局所的な連続カバレッジを提供する１つまたは複数のセルを含む。
【００２４】
１０２で、当該孤立セルにより現在使用されているアップリンク／ダウンリンク構成と変更する必要があるおよびアップリンク／ダウンリンク構成とに従って、孤立セルが使用できるアップリンク／ダウンリンク構成を決定し、当該孤立セルに対して干渉制御を実施する。
【００２５】
１０３で、孤立セルが利用できる当該アップリンク／ダウンリンク構成を孤立セルに返す。
【００２６】
孤立セル・クラスタ、孤立セル、および関連上位層セルの定義については、図１Ａ、図１Ｂ、および関連する説明を参照することができる。
【００２７】
本実施形態では、孤立セル・クラスタの中の孤立セルから、変更する必要があるアップリンク／ダウンリンク構成を関連上位層セルが受信した後、当該関連上位層セルは、当該孤立セルにより現在使用されているアップリンク／ダウンリンク構成と変更する必要があるおよびアップリンク／ダウンリンク構成とに従って、どのように孤立セルのアップリンク／ダウンリンク構成を変更するかを決定し、当該孤立セルに対して干渉制御を実施する。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。
【００２８】
図２は、本発明の別の実施形態に従う無線ネットワークを構成するための方法の流れ図である。図２に示すように、無線ネットワークを構成するための方法は以下を含んでもよい。
【００２９】
２０１で、関連上位層セルが、受信した初期の孤立セル・リストを干渉検出結果に従って更新することができる。具体的には、関連上位層セルのカバレッジ内の孤立セル・クラスタの構成情報を取得して格納する。ネットワーク側管理ノードは、関連上位層セルのカバレッジ内の各孤立セル・クラスタの格納された構成情報を関連上位層セルに送信してもよく、孤立セル・クラスタの構成情報は、一般に、当該孤立セル・クラスタにおけるＬＰＮのリスト、即ち、孤立セル・リストを含んでもよい。さらに、孤立セル・クラスタの構成情報は、セルが孤立セルであるかどうかを示す「孤立セルの表示」を含んでもよい。勿論、セルは孤立セルまたはそれ以外として予め設定されてもよく、そのため、「孤立セルの表示」を保持する必要はない。さらに、孤立セル・クラスタの構成情報が関連上位層セルのリストを含んでもよい。したがって、無線ネットワークを構成するための方法はさらに、
孤立セルの表示に従って、セルが孤立セルかどうかを判定するステップ、および／または、
関連上位層のリストに従って、セルに直接隣接する関連上位層セルを決定するステップを含んでもよい。
【００３０】
ネットワーク側管理ノードが、ＯＡＭ、ＲＲＭ、ＲＥＭ、ＣＮ、またはＲＡＮ等であってもよい。
【００３１】
場合によっては、関連上位層セルが、孤立セル・クラスタの孤立セルごとに干渉検出を開始してもよく、或る孤立セルの干渉検出結果が設定された閾値より低い場合には、孤立セル・クラスタに対応する孤立セル・リストから当該孤立セルを削除し、または、或る孤立セルの干渉検出結果が設定された閾値よりも高い場合には、当該孤立セルを孤立セル・クラスタに対応する孤立セル・リストに格納する。次に、場合によっては、関連上位層セルは孤立セル・クラスタの構成更新情報を孤立セルに通知してもよく、その結果、孤立セルは、当該孤立セル自体が関連上位層セルに対して干渉を生じさせないことを知る。孤立セル・クラスタの構成更新情報は、明確に追加もしくは削除された孤立セルの情報または更新された孤立セル・リストの何れかであってもよい。さらに、場合によっては、関連上位層セルが孤立セル・クラスタの構成更新情報をネットワーク側管理ノードに送信してもよく、その結果、ネットワーク側管理ノードが後の構成管理を都合よく実施することができる。
【００３２】
２０２で、孤立セル・クラスタの中の孤立セルから、変更する必要があるアップリンク／ダウンリンク構成を受信する。当該孤立セル・クラスタは局所的な連続カバレッジを提供する１つまたは複数のセルを含む。
【００３３】
２０３で、孤立セルにより現在使用されているアップリンク／ダウンリンク構成と変更する必要があるおよびアップリンク／ダウンリンク構成とに従って、孤立セルが使用できるアップリンク／ダウンリンク構成を決定し孤立セルに対して干渉制御を実施する。
【００３４】
ステップ２０３で実施される干渉制御が、特に以下の２つのモードを含んでもよい。
【００３５】
モード１では、孤立セルにより現在使用されているアップリンク／ダウンリンク構成に従って、変更する必要があるアップリンク／ダウンリンク構成、関連上位層セルのリソース、孤立セルが利用できるアップリンク／ダウンリンク構成を決定し、孤立セルにより現在使用されているアップリンク／ダウンリンク構成および孤立セルが利用できるアップリンク／ダウンリンク構成に従って干渉回避を実施し、
孤立セルにより現在使用されているアップリンク／ダウンリンク構成に従って、変更する必要があるアップリンク／ダウンリンク構成、関連上位層セルのリソース、孤立セルが利用できるアップリンク／ダウンリンク構成を決定するステップは、具体的には、
関連上位層セルのリソースが、変更する必要があるアップリンク／ダウンリンク構成を完全にサポートする場合に、孤立セルにより使用されるアップリンク／ダウンリンク構成を、変更する必要があるアップリンク／ダウンリンク構成に変更できるようにするステップ、または、
関連上位層セルのリソースが、変更する必要があるアップリンク／ダウンリンク構成を部分的にサポートする場合には、変更する必要があるアップリンク／ダウンリンク構成と関連上位層セルのリソースとに従って、孤立セルが利用できる当該アップリンク／ダウンリンク構成を選択するステップ、または、
関連上位層セルのリソースが、変更する必要があるアップリンク／ダウンリンク構成をサポートしない場合には、孤立セルが使用するアップリンク／ダウンリンク構成を、孤立セルが現在使用しているアップリンク／ダウンリンク構成として維持できるようにするステップを含んでもよい。
【００３６】
次に、孤立セルにより現在使用されているアップリンク／ダウンリンク構成と孤立セルが利用できるアップリンク／ダウンリンク構成とに従って干渉回避を実施するステップが、特に、
関連上位層セルが時分割複信セルである場合には、孤立セルが利用できるアップリンク／ダウンリンク構成における非互換サブフレームの位置と孤立セルが現在使用しているアップリンク／ダウンリンク構成における非互換サブフレームの位置とを比較し、非互換サブフレームを空にするステップ、または、
関連上位層セルが周波数分割複信セルである場合には、孤立セルが利用できるアップリンク／ダウンリンク構成と孤立セルが現在使用しているアップリンク／ダウンリンク構成を比較し、孤立セルが利用できるアップリンク／ダウンリンク構成におけるダウンリンク・サブフレームの数が増加した場合には、関連上位層セルによりアップリンク・トラフィックに従って、空にすることができ時分割複信セルのダウンリンク・サブフレームとして使用できるアイドル状態のアップリンク・サブフレームが存在するかどうかを判定し、存在する場合には、アイドル状態のアップリンク・サブフレームの数に従って、追加できるダウンリンク・サブフレームの数を決定し、孤立セルが利用できるアップリンク／ダウンリンク構成におけるアップリンク・サブフレームの数が増加した場合には、孤立セルがアップリンク／ダウンリンク構成を変更できるようにするステップ
を含んでもよい。
【００３７】
モード２では、孤立セルが利用できるアップリンク／ダウンリンク構成として変更する必要があるアップリンク／ダウンリンク制御チャネルを決定し、孤立セルにより変更する必要があるアップリンク／ダウンリンク制御チャネルの構成情報を取得し、孤立セルにより現在使用されているアップリンク／ダウンリンク構成、変更する必要があるアップリンク／ダウンリンク構成、および変更する必要があるアップリンク／ダウンリンク制御チャネルの構成情報に従って、」干渉排除を実施する。具体的には、以下を含んでもよい。
関連上位層セルが時分割複信セルである場合には、関連上位層の受信器により、アップリンク／ダウンリンク構成における非互換サブフレームの位置から生ずる孤立セル内のユーザ機器ＵＥのアップリンク制御チャネルの信号を特定し、受信した結果信号から孤立セル内のＵＥのアップリンク制御チャネルの信号を差し引いて、関連上位層セル内のＵＥから所望の信号を取得するステップ、もしくは、関連上位層セル内のＵＥの受信器により、アップリンク／ダウンリンク構成における非互換サブフレームの位置から生ずる孤立セルのダウンリンク制御チャネルの信号を特定し、受信した結果信号から孤立セルのダウンリンク制御チャネルの信号を差し引いて関連上位層セルから所望の信号を取得するステップ、または、
関連上位層セルが周波数分割複信セルである場合には、関連上位層の受信器により、孤立セルのアップリンク・サブフレーム位置において、アップリンク／ダウンリンク構成における非互換サブフレームの位置から生じる孤立セル内のＵＥのアップリンク制御チャネルの信号を特定し、受信した結果信号から孤立セル内のＵＥのアップリンク制御チャネルの信号を差し引いて、関連上位層セル内のＵＥから所望の信号を取得するステップ、もしくは、関連上位層セル内のＵＥの受信器により、孤立セル内のダウンリンク・サブフレーム位置において、アップリンク／ダウンリンク構成における非互換サブフレームの位置から生ずる孤立セルのダウンリンク制御チャネルの信号を特定し、受信した結果信号から孤立セルのダウンリンク制御チャネルの信号を差し引いて、関連マクロ・セルから所望の信号を取得するステップを含んでもよい。
アップリンク／ダウンリンク構成における非互換サブフレームの位置が、孤立セルが現在使用しているアップリンク／ダウンリンク構成と変更する必要があるアップリンク／ダウンリンク構成とにより決定される。アップリンク／ダウンリンク構成における非互換サブフレームの位置を関連上位層セルにより特定することは具体的には、以下のケースを含んでもよい。
関連上位層セルが時分割複信セルである場合には、アップリンク／ダウンリンク構成における非互換サブフレームの位置は、変更する必要があるアップリンク／ダウンリンク構成における様々なアップリンク／ダウンリンク構成と現在使用されているアップリンク／ダウンリンク構成における様々なアップリンク／ダウンリンク構成とを有するサブフレーム位置であり、
関連上位層セルが周波数分割複信セルである場合には、アップリンク／ダウンリンク構成における非互換サブフレームの位置は、変更する必要があるアップリンク／ダウンリンク構成における様々なアップリンク／ダウンリンク構成とＦＤＤセルが現在使用している構成における様々なアップリンク／ダウンリンク構成とを有するサブフレーム位置である。
【００３８】
２０４で、孤立セルが利用できるアップリンク／ダウンリンク構成を孤立セルに返す。
【００３９】
次に、孤立セルが、アップリンク／ダウンリンク構成に対応し関連上位層セルによって返される特定の構成モードに従ってアップリンク／ダウンリンクサービス構成を実施してもよい。
【００４０】
ＴＤＤシステムにおけるアップリンク／ダウンリンク干渉の問題を解決するための、先行技術における干渉削減方法は次の通りである。スペクトル・リソースが豊富なケースでは、様々なアップリンク／ダウンリンク構成を様々な帯域で展開してもよく、様々な帯域が様々な領域に展開される。これにより、様々な領域の様々なアップリンク／ダウンリンクのサービス要件が満たされる。さらに、様々な帯域を組み合わせて、ネットワークの様々なアップリンク／ダウンリンクのトラフィック要件を満足してもよい。様々なＴＤＤ構成から成る解決策は、周波数領域を組み合わせることによって実現される。様々な帯域を分けるスペクトルは大きいので、異なる帯域の異なるＴＤＤアップリンク／ダウンリンク構成は干渉を生じさせない。しかし、当該解決策を用いたネットワーク展開には多数のスペクトル・リソースが必要であり、複数の帯域のリソースが必要である。１つの帯域しか存在しない場合には、ネットワークは動作することができない。比較すると、本発明の実施形態は単一の帯域で実装され、少数のスペクトル・リソースが占有される。
【００４１】
先行技術の干渉削減の別の方法は次の通りである。干渉を有するサブフレーム（タイムスロット）は、スケジューリングにおいては優先度が低く、スケジュールされないことが好ましく、または、弱い干渉の場合にスケジュールされる。この方法では、様々な構成のサブフレームにおける干渉を検出する必要があり、干渉に従ってスケジューリングにおける干渉回避を実施する必要がある。しかし、特定のタイムスロットとサブフレームに対して干渉検出を実施し検出結果に基づいて干渉回避を実施するプロセスは動的検出スケジューリング・プロセスであり、これには頻繁な検出とシグナリングのサポートが必要であり、実際のアプリケーションは複雑である。データのスケジューリングが別の構成のサブフレームで実施されない場合には、サブフレームにおける干渉検出を実施しなくともよい。ピコ・セルにおいて様々なアップリンク／ダウンリンクのトラフィック要件を満足するために、広範囲におけるセルの幾つかのサブフレームではスケジューリングが実施されない場合がある。これは、ネットワークのスループットに多大な影響を及ぼし、実装コストは高い。比較すると、本発明の実施形態では、スケジューリングの優先度を設定する必要はなく、広範囲でのサブフレームのスケジューリングは生じない。したがって、ネットワークのスループットは影響を受けず、実装コストは低い。全てのサブフレームではなく孤立セルに対して干渉制御を実施するだけでよく、したがって、干渉制御は単純である。
【００４２】
本実施形態では、関連上位層セルが孤立セル・クラスタ内の孤立セルにより送信された時分割多重構成変更要求を受信した後、関連上位層セルは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。
【００４３】
図３は、本発明の別の実施形態に従う、無線ネットワークを構成するための方法の流れ図である。図３に示すように、無線ネットワークを構成するための方法は、以下を含んでもよい。
【００４４】
３０１で、現在のアップリンク／ダウンリンクのサービス要件に従って、変更する必要があるアップリンク／ダウンリンク構成を決定し、孤立セルが属する孤立セル・クラスタの関連上位層セルに、孤立セルにより変更する必要があるアップリンク／ダウンリンク構成を送信する。当該孤立セル・クラスタは局所的な連続カバレッジを提供する１つまたは複数のセルを含む。
【００４５】
ステップ３０１の前に、各孤立セルは格納された関連上位層セルのリストを更新してもよい。これは特に、孤立セルによって、孤立セルが属する孤立セル・クラスタの関連上位層セルの構成情報を取得して格納するステップを含んでもよく、特に、ネットワーク側管理ノードによって、孤立セルが属する孤立セル・クラスタの関連上位層セルの格納された構成情報を孤立セルに送信するステップを含んでもよい。当該孤立セルによって受信された関連上位層セルの構成情報は初期の関連上位層セルのリストを含んでもよく、ネットワーク側管理ノードは、ＯＡＭ、ＲＲＭ、ＲＥＭ、ＣＮ、またはＲＡＮであってもよい。
【００４６】
次に、孤立セルは、孤立セルが属する孤立セル・クラスタの関連上位層セルごとに干渉検出を開始してもよい。或る関連上位層セルの干渉検出結果が設定された閾値より高い場合には、当該関連上位層セルを初期の関連上位層セルのリストに格納する。或る関連上位層セルの干渉検出結果が設定された閾値より低い場合には、初期の関連上位層セルのリストから当該関連上位層セルを削除する。
【００４７】
場合によっては、孤立セルによって受信された或る関連上位層セルの構成情報がさらに初期の孤立セル・リストを含んでもよい。このケースでは、孤立セルは、当該孤立セルの干渉検出結果に従って、関連上位層セルによって格納された孤立セル・リストを更新するように関連上位層セルに指示する。
【００４８】
さらに、孤立セルが関連上位層セルの更新を検出した場合には、孤立セルは関連上位層セルの構成更新情報をネットワーク側管理ノードに送信する。
【００４９】
関連上位層セルが孤立セルの時分割多重構成変更要求を受信した後、関連上位層セルは孤立セルに対して（干渉回避または干渉排除を含む）干渉制御を実施し、どのように孤立セルのアップリンク／ダウンリンク構成を変更するかを判定し、孤立セルが利用できるアップリンク／ダウンリンク構成を孤立セルに返してもよい。詳細については、第１の実施形態の関連する説明を参照することができる。
【００５０】
３０２で、関連上位層セルにより返され孤立セルが使用できるアップリンク／ダウンリンク構成に従って孤立セルのアップリンク／ダウンリンクサービス構成を実施する。
【００５１】
さらに、無線ネットワークを構成するための方法は以下を含んでもよい。
【００５２】
３０３で、孤立セルが現在使用しているアップリンク／ダウンリンク構成を、当該孤立セルがサービスするユーザ機器ＵＥと隣接セルとに送信する。
【００５３】
隣接セルは、孤立セル・クラスタの関連上位層セルと、孤立セルが属する孤立セル・クラスタにおいて要求を開始した孤立セル以外の孤立セルとを含む。このように、孤立セル・クラスタの関連上位層セルと孤立セルが属する孤立セル・クラスタ内の他の孤立セルとが全て、孤立セルが現在使用しているアップリンク／ダウンリンク構成を知ることができる。これにより、当該アップリンク／ダウンリンク構成を用いて夫々のアップリンク／ダウンリンクサービス構成を実施することができる。
【００５４】
本実施形態では、関連上位層セルが孤立セル・クラスタ内の孤立セルにより送信された時分割多重構成変更要求を受信した後、関連上位層セルは孤立セルが現在使用しているアップリンク／ダウンリンク構成と変更する必要があるアップリンク／ダウンリンク構成とに従って孤立セルに対して干渉制御を実施し、どのように孤立セルのアップリンク／ダウンリンク構成を変更するかを判定してもよい。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。したがって、少数のスペクトル・リソースが占有され、コストは低い。
【００５５】
ネットワーク側の孤立セル付近の上位層セルに対して（干渉回避または干渉排除を含む）干渉制御を実施する必要がある場合には、例えば、孤立セルはＬＰＮであってもよく、上位層セルがマクロ・セルであってもよく、ＯＡＭのようなネットワーク側管理ノードが孤立セル・クラスタの構成情報をマクロ・セル、即ち、関連上位層セルに送信してもよい。マクロ・セルは孤立セル・クラスタのすぐ近傍にある。図１Ａに示すように、孤立セル・クラスタＬＰＮ＿１のカバレッジ領域のすぐ近傍にあるマクロ・セルはマクロ・セル＿１およびマクロ・セル＿２であり、したがって、ＯＡＭが関連上位層セルの構成情報をＬＰＮ＿１の複数の孤立セルの基地局に送信してもよい。関連上位層セルの構成情報は、孤立セル・クラスタのすぐ近傍のマクロ・セルのリストを含んでもよく、さらに、孤立セルの表示および孤立セル・リストのような情報を含んでもよい。さらに、ＯＡＭは孤立セル・クラスタの構成情報を孤立セル・クラスタのすぐ近傍のマクロ・セルに送信してもよい。孤立セル・クラスタの構成情報は、孤立セルの表示、孤立セル・リスト等を含んでもよく、孤立セル・クラスタのすぐ近傍のマクロ・セルのリストを含んでもよい。
【００５６】
ＯＡＭ、ＲＲＭ、ＲＥＭ、ＣＮ、またはＲＡＮのようなネットワーク側管理ノードが、ネットワークの様々な層にあるセルのカバレッジに従って孤立セル・クラスタの構成情報と関連上位層セルの構成情報とを取得した後、ネットワーク側管理ノードは、孤立セル・クラスタの構成情報を孤立セル・クラスタに対応するマクロ・セルに送信してもよく、関連上位層セルの構成情報を関連上位層セルのカバレッジにおける孤立セル・クラスタ内の各孤立セルに送信してもよい。勿論、関連上位層セルは非マクロ・セルであってもよく、孤立セル・クラスタよりも広いカバレッジを有するセルであってもよい。本発明の実施形態では、関連マクロ・セルを説明のための例として使用している。孤立セルとその関連マクロ・セルの両方は、干渉検出に基づいて孤立セル・リストまたはマクロ・セルのリストを更新することができる。更新された孤立セル・リストまたはマクロ・セルのリストを、ＯＡＭ、または、ＲＲＭ、ＲＥＭ、ＣＮ、もしくはＲＡＮのような他のネットワーク側管理ノードに送信してもよい。
【００５７】
図４Ａは、本発明の別の実施形態に従う、無線ネットワークを構成するための方法における構成管理のシグナリング・フローチャートである。図４Ａに示すように、ネットワーク側の具体的な構成管理プロセスは以下を含んでもよい。
【００５８】
４０１で、孤立セル・クラスタ内の孤立セルが関連マクロ・セルの構成情報をネットワーク側管理ノードから取得した後、孤立セルは関連マクロ・セルの構成情報、例えば、関連マクロ・セルのリストを格納してもよい。場合によっては、関連マクロ・セルの構成情報がさらに、関連マクロ・セルの指示、孤立セル・リスト等を含んでもよい。
【００５９】
４０２で、孤立セルが関連マクロ・セルに対して干渉検出を実施する。関連マクロ・セルの干渉値が設定された閾値より高いことを孤立セルが検出した場合に、孤立セルは、当該孤立セルの存在を関連マクロ・セルに通知し、孤立セルによって格納された関連マクロ・セルのリストを更新してもよい。そうでない場合は、孤立セルは関連マクロ・セルに通知する必要はない。
【００６０】
４０３で、孤立セルが関連マクロ・セルのリストの更新を検出した後、場合によっては、孤立セルは、関連マクロ・セルの更新、例えば、追加された関連マクロ・セルまたは更新された関連マクロ・セルのリストを、ＯＡＭまたは、ＲＲＭ、ＲＥＭ、ＣＮ、もしくはＲＡＮのような他のネットワーク側管理ノードに送信してもよい。
【００６１】
４０４で、関連マクロ・セルが孤立セル・クラスタの構成情報をネットワーク側から取得した後、場合によっては、関連マクロ・セルが孤立セル・クラスタ内の孤立セルごとに干渉検出を開始してもよい。
【００６２】
４０５で、孤立セルの干渉検出結果が設定された閾値より低い場合、関連マクロ・セルは、関連マクロ・セルにより格納された孤立セル・リストから孤立セルを削除し、削除した孤立セルに削除を通知する。
【００６３】
４０６で、場合によっては、関連マクロ・セルは孤立セルの更新、例えば、追加された孤立セルまたは更新された孤立セル・リストの情報を、ＯＡＭまたは、ＲＲＭ、ＲＥＭ、ＣＮ、もしくはＲＡＮのようなネットワーク側管理ノードに送信してもよい。
【００６４】
ステップ４０１〜４０３は、格納された関連マクロ・セルのリストを孤立セルによって更新するプロセスである。ステップ４０４〜４０６は、格納された孤立セル・リストを関連マクロ・セルによって更新するプロセスである。これらの２つのプロセスは、何ら時系列の関係を有さない。孤立セル・クラスタの各孤立セルが関連マクロ・セルのリストの更新を完了し、関連マクロ・セルが孤立セル・リストの更新を完了した後、孤立セル・クラスタの各孤立セルは関連マクロ・セルの構成情報を格納し、関連マクロ・セルが孤立セル・クラスタの構成情報を格納する。孤立セル・クラスタの孤立セルがそのアップリンク／ダウンリンク構成をサービス要件に従って更新する必要がある場合に、孤立セルは、時分割多重アップリンク／ダウンリンク構成の変更要求を孤立セルの関連マクロ・セルに送信してもよく、関連マクロ・セルが関連マクロ・セルのリソースに従ってリソース管理を実施してもよい。これにより、孤立セルのアップリンク／ダウンリンク構成の変更によって生じる関連マクロ・セルに対する干渉が回避される。
【００６５】
図４Ｂは、本発明の別の実施形態に従う、無線ネットワークを構成するための方法におけるアップリンク／ダウンリンク構成更新のシグナリング・フローチャートである。図４Ｂに示すように、孤立セル・クラスタと関連セルとの間のアップリンク／ダウンリンク構成の更新交渉のプロセスは、特に、以下を含んでもよい。
【００６６】
５０１で、孤立セル・クラスタの孤立セルが、そのアップリンク／ダウンリンクのサービス要件の変更に従って、現在使用されているアップリンク／ダウンリンク構成を更新する必要があることを発見した場合、孤立セルは時分割多重構成変更要求を関連マクロ・セルに送信し、時分割多重構成変更要求において、変更する必要があるアップリンク／ダウンリンク構成を示す。
【００６７】
本発明の実施形態ではアップリンク／ダウンリンク構成は、ＬＴＥシステムで定義されたＴＤＤアップリンク／ダウンリンク構成、ＷｉｍａｘシステムにおけるＴＤＤアップリンク／ダウンリンク構成、ＴＤＳ−ＣＤＭＡにおけるＴＤＤアップリンク／ダウンリンク構成、または他のＴＤＤシステムのアップリンク／ダウンリンク構成のうち何れか１つであってもよい。
【００６８】
ＬＴＥにおけるＴＤＤアップリンク／ダウンリンク構成を例として用いると、孤立セル・クラスタはレイヤ２のカバレッジを提供する１つまたは複数の低電力モード（ＬＰＮ）セルにより形成され、図１Ａに示すように、孤立セル・クラスタの初期のＴＤＤアップリンク／ダウンリンク構成は、レイヤ１の広域カバレッジのものと同じである。例えば、表１のＴＤＤアップリンク／ダウンリンク構成＿１はＤＬ：ＵＬ＝３：２である（Ｓサブフレームは、ダウンリンク・サブフレームに従ってカウントされる）。サービスが変化すると、孤立セルのアップリンク／ダウンリンクサービス構成が変化する必要があるかもしれない。孤立セルのカバレッジ領域内のアップリンク・サービスが増大した場合、孤立セルは時分割多重構成変更要求を送信し、ＴＤＤアップリンク／ダウンリンク構成＿０への変更、即ち、ＤＬ：ＵＬ＝２：３を要求する（Ｓサブフレームはダウンリンク・サブフレームに従ってカウントされる）。このケースでは、時分割多重構成変更要求は、変更する必要があるＴＤＤアップリンク／ダウンリンク構成を運搬し、当該構成は構成０のインデックス値「０」であってもよい。または、特定のＴＤＤアップリンク／ダウンリンク構成モード「ＤＳＵＵＵＤＳＵＵＵ」もしくは構成０の「１１０００１１０００」を直接提供してもよい。ここで、「１」はダウンリンク・サブフレームを示し、「０」はアップリンク・サブフレームを示す。または「００１１１００１１１」を提供してもよい。ここで、「０」はダウンリンク・サブフレームを示し、「１」はアップリンク・サブフレームを示す。場合によっては、時分割多重構成変更要求が、構成２のインデックス値「２」のような、変更前のＴＤＤアップリンク／ダウンリンク構成情報を運搬してもよく、または、特定のＴＤＤアップリンク／ダウンリンク構成モード「ＤＳＵＤＤＤＳＵＤＤ」もしくは構成２の「１１０１１１１０１１」を直接運搬してもよい。ここで、「１」はダウンリンク・サブフレームを示し、「０」はアップリンク・サブフレームを示す。または「００１１１００１１１」を提供してもよい。ここで、「０」はダウンリンク・サブフレームを示し、「１」はアップリンク・サブフレームを示す。
【００６９】
５０２で、関連マクロ・セルは、孤立セルにより変更する必要があるアップリンク／ダウンリンク構成、現在使用されているアップリンク／ダウンリンク構成、および関連マクロ・セルのリソースに従って、リソース管理を実施してもよい。当該リソース管理は、主に、干渉制御を実施するステップ、アップリンク／ダウンリンク構成を変更できるかどうかを判定するステップを含む。これにより、孤立セル・クラスタのアップリンク／ダウンリンク構成の変更により生ずる関連マクロ・セルへの干渉を回避する。
【００７０】
図４Ｃは、本発明の別の実施形態に従う、無線ネットワークを構成するための方法における関連マクロ・セルおよび孤立セルのアップリンク／ダウンリンク構成の概略図である。図４Ｃの構成モードを例として使用すると、干渉制御が干渉回避および干渉排除を含んでもよい。関連マクロ・セルの種類が時分割複信セルまたは周波数分割複信セルを含んでもよいと仮定すると、干渉制御は特に以下のモードを含む。
【００７１】
モード１で、受信したアップリンク／ダウンリンク構成に従って干渉回避を実施する。
【００７２】
関連マクロ・セルが時分割複信セルである場合には、関連マクロ・セルは、まず、孤立セルが変更を要求するアップリンク／ダウンリンク構成内の非互換サブフレームの位置と関連マクロ・セルのアップリンク／ダウンリンク構成と比較する。例えば、関連マクロ・セル内のＴＤＤアップリンク／ダウンリンク構成が構成２であるとき、孤立セルが構成０に対して構成変更を要求した場合には、各無線フレームにおいて、関連マクロ・セル内の２つのサブフレームの構成は非互換である。２つの非互換フレームの構成に対して、関連マクロ・セルは当該方法を使用してもよい。即ち、関連マクロ・セルは非互換サブフレームを空にする。即ち、関連マクロ・セルはどのシグナリングもデータも非互換サブフレームにおいて送信しない。空のサブフレームの構成を、関連マクロ・セルによって、関連マクロ・セルがサービスするＵＥおよび関連マクロ・セルに隣接する他のマクロ・セルに通知してもよい。当該通知は、マクロ・セル内のＵＥまたは隣接セル内のＵＥによって実施されるセルの識別および測定を最適化してもよい。関連マクロ・セルは、非互換サブフレームにおけるリソースのスケジューリングをキャンセルする。このケースでは、スケジューリングに基づかない信号を送信し続けてもよい。シグナリングおよびデータを含む、スケジューリング・ベースの情報の送信をキャンセルしてもよい。関連マクロ・セルは、さらに、非互換サブフレームにおいて測定された孤立セルの信号品質が設定された閾値より低いユーザ機器ＵＥに対してのみリソースのスケジューリングを実施してもよい。関連マクロ・セルは、非互換サブフレームにおいて測定された孤立セルの信号品質が設定された閾値より高いユーザ機器に対してはリソースのスケジューリングを実施しない。その目的は、孤立セルの非互換な構成により生ずる干渉を減らすことである。関連マクロ・セルのリソースを調節して孤立セルのアップリンク／ダウンリンク構成の更新を満たすことができない場合には、関連マクロ・セルは、当該関連マクロ・セルのリソースに従って、孤立セルによって要求されたアップリンク／ダウンリンク構成を変更してもよい。例えば、孤立セルが構成２に対して構成変更を要求するが、当該構成は構成１に変更される。
【００７３】
関連マクロ・セルが周波数分割複信セルである場合には、関連マクロ・セルは、まず、孤立セルにより変更する必要があるアップリンク／ダウンリンク構成と孤立セルが現在使用しているアップリンク／ダウンリンク構成を比較し、サブフレームの数の変更を決定する。例えば、ＦＤＤ関連マクロ・セルの処理が、孤立セルにより変更する必要があるアップリンク／ダウンリンク構成におけるダウンリンク・サブフレームの数が増加した場合、例えば、孤立セルの構成が構成０から構成２へ変更するように要求されたとき、４つのアップリンク・サブフレームをダウンリンク・サブフレームに変更する必要がある。即ち、アップリンク／ダウンリンク構成におけるダウンリンク・サブフレームの数が増加する。ＦＤＤ関連マクロ・セルはアップリンク・トラフィックをカウントし、アップリンク・サブフレームの一部を空けて孤立セルによるアップリンク・サブフレーム内のダウンリンク送信により生ずる干渉を回避できるかどうかを判定する。アップリンク・サブフレームの一部を空けることができる場合には、関連マクロ・セルは、孤立セルが更新を要求したアップリンク／ダウンリンク構成におけるダウンリンク・サブフレームの位置に従って、当該位置に対応する（４つのサブフレームのような）アップリンク・サブフレームを空けてもよい。ＦＤＤ関連マクロ・セルが対応する位置内のアップリンク・サブフレームを空けることができない（例えば、２つのアップリンク・サブフレームしか空けることができない）場合には、ＦＤＤ関連マクロ・セルは、そのリソースに従って、孤立セルによって要求されたアップリンク／ダウンリンク構成を変更してもよい（例えば、構成１が構成２の代わりに使用される）。孤立セルにより変更する必要があるアップリンク／ダウンリンク構成におけるアップリンク・サブフレームの数が増加する場合、孤立セルの構成が構成２から構成０に変更するように要求されるとき、４つのダウンリンク・サブフレームをアップリンク・サブフレームに変更する必要がある。このケースでは、ＦＤＤ関連マクロ・セルが、孤立セルの元のアップリンク／ダウンリンク構成におけるダウンリンク・サブフレームの位置でアップリンク・リソースのスケジューリングを実施してもよい。ＦＤＤ関連マクロ・セルは孤立セルのアップリンク／ダウンリンク構成変更要求に同意してもよい。
【００７４】
モード２で、受信したアップリンク／ダウンリンク構成に従って干渉排除を実施する。
【００７５】
変更する必要があるアップリンク／ダウンリンク構成に加えて干渉排除を行うとき、孤立セルは、干渉排除において関連マクロ・セルをサポートするために、孤立セルによって変更する必要があるアップリンク／ダウンリンク制御チャネルの構成情報を関連マクロ・セルに通知する必要がある。
【００７６】
関連マクロ・セルが時分割複信セルである場合には、関連マクロ・セルは、変更する必要があるアップリンク／ダウンリンク構成における非互換サブフレームと関連マクロ・セルのアップリンク／ダウンリンク構成における非互換サブフレームとを比較する。関連マクロ・セルは、非互換サブフレームにおける干渉排除を実施する必要がある。具体的には、２つのケースがある。一方のケースは、関連マクロ・セルの受信機が孤立セル内のＵＥからの信号を特定し、受信した結果信号から孤立セル内のＵＥの信号を差し引いて、関連マクロ・セル内のＵＥから所望の信号を取得することである。もう一方のケースは、関連マクロ・セル内のＵＥの受信機が孤立セルからの信号を特定し、受信した結果信号から孤立セルの信号を差し引いて関連マクロ・セルから所望の信号を取得する。
【００７７】
関連マクロ・セルが周波数分割複信セルである場合には、関連マクロ・セルは変更されたアップリンク／ダウンリンク構成を格納し、変更されたアップリンク／ダウンリンク構成に対応するアップリンク／ダウンリンク制御チャネルの構成情報を取得し、当該構成情報に従って干渉排除を実施する。図４Ｄは、本発明の別の実施形態に従う無線ネットワークを構成するための方法において、関連マクロ・セルがＦＤＤセルであり、対応する孤立セルがＦＤＤのＵＬ帯域でＴＤＤ互換構成を満足する概略図である。図４Ｅは、本発明の別の実施形態に従う無線ネットワークを構成するための方法において、関連マクロ・セルがＦＤＤセルであり、対応する孤立セルがＦＤＤのＵＬ帯域でＴＤＤ互換構成を満足しない概略図である。ここで、ダウンリンク・データが、孤立セルに対応する位置でマクロ・セル＿１の空フレームで送信され、マクロ・セル＿１に対応するＬＰＮは孤立セルである。マクロ・セル＿１のアップリンク／ダウンリンク構成および図４Ｄにおける対応する孤立セルは表１の構成０を満たし、マクロ・セル＿１のアップリンク／ダウンリンク構成および図４Ｅにおける対応する孤立セルＬＰＮは表１のどの構成も満たさない。まず、非互換サブフレームの位置が特定され、次いで干渉排除が当該非互換サブフレームの位置に対して実施される。具体的には、２つのケースがありうる。一方のケースは、関連マクロ・セルの受信機が、孤立セルのアップリンク・サブフレーム位置において、アップリンク／ダウンリンク構成における非互換サブフレームの位置での孤立セル内のＵＥの信号を特定し、受信した結果信号から孤立セル内のＵＥの信号を差し引いて、関連マクロ・セル内のＵＥから所望の信号を取得する。もう一方のケースでは、関連マクロ・セル内のＵＥの受信機が、孤立セルのダウンリンク・サブフレーム位置において、アップリンク／ダウンリンク構成における非互換サブフレームの位置での孤立セルの信号を特定し、受信した結果信号から孤立セルの信号を差し引いて関連マクロ・セルから所望の信号を取得する。
【００７８】
５０３で、干渉制御を完了した後、関連マクロ・セルがアップリンク／ダウンリンク構成の応答を孤立セルに送信してもよい。当該応答は、孤立セルが使用できるアップリンク／ダウンリンク構成を運搬する。当該アップリンク／ダウンリンク構成は、時分割多重構成変更要求において孤立セルによって運搬されるアップリンク／ダウンリンク構成であってもよく、または、関連マクロ・セルによって変更されたアップリンク／ダウンリンク構成であってもよい。アップリンク／ダウンリンク構成を示すモードは、表１の構成Ｘであってもよく、または、特定のアップリンク／ダウンリンク構成モードを直接提供してもよい。ステップ５０１で与えた詳細は、ここでは省略する。
【００７９】
５０４で、関連マクロ・セルのアップリンク／ダウンリンク構成応答を受信した後、孤立セルは応答メッセージ内のアップリンク／ダウンリンク構成に従って孤立セルのアップリンク／ダウンリンクサービス構成を実施する。当該構成が完了した後、孤立セルは、更新されたアップリンク／ダウンリンク構成を、当該孤立セルがサービスを提供するＵＥと隣接セルとに送信する。
【００８０】
本実施形態では、孤立セル・クラスタ内の孤立セルにより送信されたＴＤＤ時分割多重構成変更要求を関連上位層セルが受信した後に、関連上位層セルが、孤立セルが現在使用しているアップリンク／ダウンリンク構成と変更する必要があるアップリンク／ダウンリンク構成とに従って、孤立セルに対して干渉制御を実施し、どのように孤立セルのアップリンク／ダウンリンク構成を変更するかを判定する。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり、様々なアップリンク／ダウンリンクのトラフィック要件が満たされる。したがって、少数のスペクトル・リソースが占有され、コストは低い。
【００８１】
図５は、本発明の１実施形態に従う無線ネットワークを構成するための装置の概略図である。図５に示すように、無線ネットワークを構成するための装置は、
孤立セル・クラスタの中の孤立セルから、変更する必要があるアップリンク／ダウンリンク構成を受信するように構成された要求受信モジュール１１であって、当該孤立セル・クラスタは局所的な連続カバレッジを提供する１つまたは複数のセルを含む要求受信モジュール１１と、
孤立セルにより現在使用されているアップリンク／ダウンリンク構成と変更する必要があり受信モジュール１１により受信されたアップリンク／ダウンリンク構成とに従って、孤立セルが使用できるアップリンク／ダウンリンク構成を決定し、孤立セルに対して干渉制御を実施するように構成された干渉制御モジュール１３であって、孤立セル・クラスタに直接隣接する関連上位層セルの数は設定された閾値より小さい干渉制御モジュール１３と、
孤立セルが使用でき干渉制御モジュール１３により決定されるアップリンク／ダウンリンク構成を当該孤立セルに返すように構成された構成返却モジュール１５と、
を備える。
【００８２】
本実施形態における各モジュールのワークフローと動作原理については、上述の方法の諸実施形態の説明を参照することができ、詳細についてはここでは繰り返さない。
【００８３】
本実施形態では、孤立セル・クラスタ内の孤立セルにより送信された時分割多重構成変更要求を関連上位層セルの要求受信モジュールが受信した後に、干渉制御モジュールは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、当該孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。したがって、少数のスペクトル・リソースが占有され、コストが低い。
【００８４】
図６は、本発明の別の実施形態に従う無線ネットワークを構成するための装置の概略図である。図６に示すように、上述の実施形態に基づいて、無線ネットワークを構成するための装置はさらに、
関連上位層セルのカバレッジ内部の孤立セル・クラスタの構成情報を取得し格納するように構成された構成取得モジュール２１であって、当該孤立セル・クラスタの構成情報は、当該孤立セル・クラスタ内の初期の孤立セル・リストを含む構成取得モジュール２１と、
構成取得モジュール２１に接続され、孤立セル・クラスタの孤立セルごとに干渉検出を開始するように構成された干渉検出モジュール２３と、
干渉検出モジュール２３に接続され、或る孤立セルの干渉検出結果が設定された閾値より低い場合には、孤立セル・クラスタに対応する孤立セル・リストから当該孤立セルを削除し、または、或る孤立セルの干渉検出結果が設定された閾値よりも高い場合には、当該孤立セルを孤立セル・クラスタに対応する孤立セル・リストに格納するように構成された孤立セル・リスト更新モジュール２５と、
を備えてもよい。
【００８５】
さらに、無線ネットワークを構成するための装置が、
孤立セル・リスト更新モジュール２５に接続され、孤立セル・クラスタの構成更新情報を孤立セルに通知し、かつ／または、孤立セル・クラスタの構成更新情報をネットワーク側管理ノードに送信するように構成された更新通知モジュール２７
を備えてもよい。
【００８６】
さらに、本発明の別の実施形態に従う無線ネットワークを構成するための装置の概略図である図７に示すように、干渉制御モジュール１３は、
孤立セルにより現在使用されているアップリンク／ダウンリンク構成に従って、変更する必要があるアップリンク／ダウンリンク構成、関連上位層セルのリソース、および孤立セルが利用できるアップリンク／ダウンリンク構成を判定し、孤立セルにより現在使用されているアップリンク／ダウンリンク構成と孤立セルが利用できるアップリンク／ダウンリンク構成とに従って干渉回避を実施するように構成された干渉回避ユニット１３１であって、
干渉排除ユニットは、特に、関連上位層セルが時分割複信セルである場合には、孤立セルが利用できるアップリンク／ダウンリンク構成における非互換サブフレームの位置を孤立セルが現在使用しているアップリンク／ダウンリンク構成と比較し、非互換サブフレームを空にし、または、関連上位層セルが周波数分割複信セルである場合には、孤立セルが利用できるアップリンク／ダウンリンク構成を孤立セルが現在使用しているアップリンク／ダウンリンク構成と比較し、孤立セルが利用できるアップリンク／ダウンリンク構成におけるダウンリンク・サブフレームの数が増加した場合には、関連上位層セルによりアップリンク・トラフィックに従って、空にすることができ時分割複信セルのダウンリンク・サブフレームとして使用できるアイドル状態のアップリンク・サブフレームが存在するかどうかを判定し、存在する場合には、アイドル状態のアップリンク・サブフレームの数に従って、追加できるダウンリンク・サブフレームの数を決定し、孤立セルが利用できるアップリンク／ダウンリンク構成におけるアップリンク・サブフレームの数が増加した場合には、当該孤立セルがアップリンク／ダウンリンク構成を変更できるようにするように構成された干渉回避ユニット１３１と、
孤立セルが利用できるアップリンク／ダウンリンク構成として変更する必要があるアップリンク／ダウンリンク制御チャネルを決定し、孤立セルにより変更する必要があるアップリンク／ダウンリンク制御チャネルの構成情報を取得し、孤立セルにより現在使用されているアップリンク／ダウンリンク構成、変更する必要があるアップリンク／ダウンリンク構成、および変更する必要があるアップリンク／ダウンリンク制御チャネルの構成情報に従って干渉排除を実施するように構成された干渉排除ユニット１３２であって、
当該干渉キャンセル・ユニットは、特に、関連上位層セルが時分割複信セルである場合には、関連上位層セルの受信器により、アップリンク／ダウンリンク構成内の非互換サブフレームの位置から生じた孤立セル内のユーザ機器ＵＥのアップリンク制御チャネルの信号を特定し、受信した結果信号から孤立セル内のＵＥのアップリンク制御チャネルの当該信号を差し引いて関連上位層セル内のＵＥから所望の信号を取得するか、または、関連上位層セル内のＵＥの受信器により、アップリンク／ダウンリンク構成における非互換サブフレームの位置から生じた孤立セルのダウンリンク制御チャネルの信号を特定し、受信した結果信号から孤立セルのダウンリンク制御チャネルの信号を差し引いて関連上位層セルから所望の信号を取得し、または、関連上位層セルが周波数分割複信セルである場合には、関連上位層セルの受信器により、孤立セルのアップリンク・サブフレーム位置において、アップリンク／ダウンリンク構成内の非互換サブフレームの位置から生じた孤立セル内のユーザ機器ＵＥのアップリンク制御チャネルの信号を特定し、受信した結果信号から孤立セル内のＵＥのアップリンク制御チャネルの当該信号を差し引いて関連上位層セル内のＵＥから所望の信号を取得し、または、関連上位層セル内のＵＥの受信器により、孤立セル内のダウンリンク・サブフレーム位置において、アップリンク／ダウンリンク構成における非互換サブフレームの位置から生じた孤立セルのダウンリンク制御チャネルの信号を特定し、受信した結果信号から孤立セルのダウンリンク制御チャネルの信号を差し引いて関連マクロ・セルから所望の信号を取得するように構成され、アップリンク／ダウンリンク構成における非互換サブフレームの位置が、孤立セルが現在使用しているアップリンク／ダウンリンク構成と変更する必要があるアップリンク／ダウンリンク構成とにより決定される、干渉排除ユニット１３２と、
を備えてもよい。
【００８７】
本発明の実施形態では、干渉制御モジュールが干渉キャンセル・ユニットおよび干渉回避ユニットを備えてもよく、干渉キャンセル・ユニットおよび干渉回避ユニットの何れかを備えてもよい。
【００８８】
本実施形態では、関連上位層セルの要求受信モジュールが孤立セル・クラスタ内の孤立セルにより送信された時分割多重構成変更要求を受信した後、干渉制御モジュールは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。したがって、少数のスペクトル・リソースが占有され、コストは低い。
【００８９】
図８は、本発明の別の実施形態に従う無線ネットワークを構成するための装置の概略図である。図８に示すように、無線ネットワークを構成するための装置は、
現在のアップリンク／ダウンリンクのサービス要件に従って、変更する必要があるアップリンク／ダウンリンク構成を判定し、孤立セルが属する孤立セル・クラスタの関連上位層セルに、孤立セルにより変更する必要があるアップリンク／ダウンリンク構成を送信するように構成された送信モジュール３１であって、孤立セル・クラスタは局所的な連続カバレッジを提供する１つまたは複数のセルを含み、孤立セル・クラスタに直接隣接する関連上位層セルの数は設定された閾値より小さい送信モジュール３１と、
送信モジュール３１に接続され、関連上位層セルにより返され孤立セルが使用できるアップリンク／ダウンリンク構成に従って孤立セルのアップリンク／ダウンリンクサービス構成を実施するように構成された構成モジュール３３と、
を備える。
【００９０】
本実施形態における各モジュールのワークフローと動作原理については、上述の方法の諸実施形態の説明を参照することができ、詳細についてはここでは繰り返さない。
【００９１】
本実施形態では、孤立セル・クラスタ内の孤立セルの送信モジュールが送信した時分割多重構成変更要求を関連上位層セルが受信した後、関連上位層セルは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、アップリンク／ダウンリンクサービスに対する孤立セルの構成モジュールにより実施されたアップリンク／ダウンリンク構成はより合理的になり、様々なアップリンク／ダウンリンクのトラフィック要件が満たされる。したがって、少数のスペクトル・リソースが占有され、コストは低い。
【００９２】
図９は、本発明の別の実施形態に従う無線ネットワークを構成するための装置の概略図である。図９に示すように、上述の実施形態に基づいて、無線ネットワークを構成するための装置はさらに、
孤立セルが現在使用しているアップリンク／ダウンリンク構成を、当該孤立セルがサービスするユーザ機器ＵＥと隣接セルとに送信するように構成された送信モジュール３１であって、当該隣接セルは、孤立セル・クラスタの関連上位層セルと孤立セルが属する孤立セル・クラスタにおいて要求を開始した孤立セルとは異なる孤立セルとを含む送信モジュール３１
を備えてもよい。
【００９３】
さらに、無線ネットワークを構成するための装置が、
関連上位層セルの構成情報を取得し格納するように構成された構成取得モジュール３５であって、当該関連上位層セルの構成情報が初期の関連上位層セルのリストを含む構成取得モジュール３５と、
構成取得モジュール３５に接続され、孤立セルが属する孤立セル・クラスタの関連上位層セルごとに干渉検出を開始するように構成された干渉検出モジュール３６と、
干渉検出モジュール３６に接続され、或る関連上位層セルの干渉検出結果が設定された閾値より高い場合には、当該関連上位層セルを初期の関連上位層セルのリストに格納し、または、或る関連上位層セルの干渉検出結果が設定された閾値より低い場合には、初期の関連上位層セルのリストから当該関連上位層セルを削除するように構成された関連上位層セル・リスト更新モジュール３７と、
を備えてもよい。
【００９４】
さらに、無線ネットワークを構成するための装置が、
当該干渉検出モジュール３６に接続され、関連上位層セルの構成情報がさらに初期の孤立セル・リストを含む場合には、孤立セルの干渉検出結果に従って、関連上位層セルにより格納された孤立セル・リストを更新するように関連上位層セルに指示するように構成された孤立セル・リスト更新モジュール３８であって、干渉検出モジュール３６が孤立セルに対して干渉検出を実施でき、孤立セル・リスト更新モジュール３８は孤立セルの干渉検出結果に従って格納された孤立セル・リストを更新する孤立セル・リスト更新モジュール３８
を備えてもよい。
【００９５】
さらに、無線ネットワークを構成するための装置が、
関連上位層セル・リスト更新モジュール３８に接続され、関連上位層セルの更新が検出された場合に、当該関連上位層セルの構成更新情報をネットワーク側管理ノードに送信するように構成された更新通知モジュール３９
を備えてもよい。
【００９６】
本実施形態では、孤立セル・クラスタ内の孤立セルの送信モジュールが送信した時分割多重構成変更要求を関連上位層セルが受信した後、関連上位層セルは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、当該孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、アップリンク／ダウンリンクのサービスに対して孤立セルの構成モジュールが実施するアップリンク／ダウンリンク構成はより合理的になり、様々なアップリンク／ダウンリンクのトラフィック要件が満たされる。したがって、少数のスペクトル・リソースが占有され、コストは低い。
【００９７】
図１０は、本発明の別の実施形態に従う、無線ネットワークを構成するためのシステムの概略図である。図１０に示すように、無線ネットワークを構成するためのシステムは、関連上位層セル５１と孤立セル・クラスタ５３を備える。孤立セル・クラスタ５３は、局所的な連続カバレッジを提供する１つまたは複数のセルを備え、孤立セル・クラスタ５３のすぐ近傍の関連上位層セル５１の数は設定された閾値より小さい。関連上位層セル５１は、無線ネットワークを構成するための装置を使用してもよく、当該装置は図５、図６、および図７に対応する本発明の諸実施形態により提供される構造の何れかを有する。孤立セル・クラスタ５３の各孤立セル５３１は、無線ネットワークを構成するための装置を使用してもよく、当該装置は、図８および図９に対応する本発明の諸実施形態により提供される構造の何れかを有する。
【００９８】
本実施形態では、孤立セル・クラスタ内の孤立セルにより送信された時分割多重構成変更要求を関連上位層セルが受信した後、関連上位層セルは、孤立セルが現在使用しているアップリンク／ダウンリンク構成と変更する必要があるアップリンク／ダウンリンク構成とに従って、どのように孤立セルのアップリンク／ダウンリンク構成を変更するかを判定し、孤立セルに対して干渉制御を実施してもよい。これにより、様々なアップリンク／ダウンリンク構成の間の干渉を減らし、様々なアップリンク／ダウンリンク構成のセルの間の干渉共存を実現することができ、その結果、孤立セルのアップリンク／ダウンリンク構成がより合理的になり様々なアップリンク／ダウンリンクのトラフィック要件が満たされる。したがって、少数のスペクトル・リソースが占有され、コストは低い。
【００９９】
以上の方法の諸実施形態のステップの全部または一部を、関連するハードウェアに指示するプログラムによって実施してもよいことは当業者には理解される。当該プログラムを、コンピュータ読取可能記憶媒体に格納してもよい。当該プログラムが実行されると、以上の方法の諸実施形態のステップが実施される。当該記憶媒体は、ＲＯＭ、ＲＡＭ、磁気ディスクまたは光ディスクのような、プログラム・コードを格納できる任意の媒体であってもよい。
【０１００】
最後に、以上の諸実施形態は本発明の技術的解決策を説明するためのものにすぎず、本発明を限定しようとするものではないことに留意されたい。以上の諸実施形態を参照して本発明を詳細に説明したが、本発明の諸実施形態の技術的解決策の思想と範囲から逸脱せずに、依然として修正を以上の諸実施形態で説明した技術的解決策に加えることができ、または、均等な置換を諸実施形態の幾つかの技術的特徴に対して行いうることは当業者には理解される。
【符号の説明】
【０１０１】
１１  要求受信モジュール
１３  干渉制御モジュール
１５  構成返却モジュール
２１  構成取得モジュール
２３  干渉検出モジュール
２５  孤立セル・リスト更新モジュール
２７  更新通知モジュール
１１  要求受信モジュール
１３  干渉制御モジュール
１５  構成返却モジュール
２１  構成取得モジュール
２３  干渉検出モジュール
２５  孤立セル・リスト更新モジュール
２７  更新通知モジュール
【図１０】
0005810432.tif 000003
【図１Ａ】
0005810432.tif 000004
【図１Ｂ】
0005810432.tif 000005
【図１Ｃ】
0005810432.tif 000006
【図２】
0005810432.tif 000007
【図３】
0005810432.tif 000008
【図４Ａ】
0005810432.tif 000009
【図４Ｂ】
0005810432.tif 000010
【図４Ｃ】
0005810432.tif 000011
【図４Ｄ】
0005810432.tif 000012
【図４Ｅ】
0005810432.tif 000013
【図５】
0005810432.tif 000014
【図６】
0005810432.tif 000015
【図７】
0005810432.tif 000016
【図８】
0005810432.tif 000017
【図９】
0005810432.tif 000018